(57)【特許請求の範囲】
【請求項１】
複数の通信装置でネットワークを構成し通信動作のパラメータの設定を行いこれらの通信装置間での通信を可能とする通信装置において、入力された設定情報を内部処理しやすい形式で保存する設定保存ファイルと、上記設定情報が入力される毎にその設定情報をテキスト形式で保存する設定操作保存ファイルと、この設定操作保存ファイルを読み込みその内容を実行する設定操作保存ファイル内容実行手段とを設けたことを特徴とする通信装置。
【請求項２】
設定情報が入力される毎に設定情報を設定操作保存ファイルに保存するか否かを制御可能な保存制御手段を設けたことを特徴とする請求項１に記載の通信装置。
【請求項３】
設定操作保存ファイル内容実行手段は、読み込んだ設定操作保存ファイルの内容をその通りの処理を実行するかまたはその逆の処理を実行するかを選択する逆処理選択手段を有するものであることを特徴とする請求項１に記載の通信装置。
【請求項４】
設定操作保存ファイル内容実行手段は、読み込んだ設定操作保存ファイルの内容をその通りの処理を実行するかまたはその逆の処理を実行するかを選択する逆処理選択手段と、実行すべき処理がそれより以前に実行した処理により無効となっている場合に当該処理を飛ばすように指示するスキップ指示手段とを有するものであることを特徴とする請求項１に記載の通信装置。
【請求項５】
設定保存ファイルの内容を設定操作保存ファイルに変換するファイル変換手段を設けたことを特徴とする請求項１に記載の通信装置。
【発明の詳細な説明】
【０００１】
【発明の属する技術分野】
本発明は、各種通信動作のパラメータの設定が必要な通信装置の改良に関する。
【０００２】
【従来の技術】
複数の通信装置でネットワークを構成し、これらの通信装置間での通信を可能とする通信装置においては、様々な動作パラメータの設定が必要となる。そこで、通常、通信装置のユーザは通信装置の設定手段、例えば端末装置を用いて各種通信動作のパラメータの設定を行う。
【０００３】
このとき、同種の動作に対しては同様の設定を繰り返し行うことになり、また、間違った設定を行った場合にはいったんその設定内容を取り消す処理を行い、その後再び正しい設定内容を設定する、という作業を行っていた。
【０００４】
また、例えば特開平１０−５２７４９号公報に示されているように、装置の動作をマンマシンインタフエースにより柔軟に設定可能とする方式はあるが、いったん設定した内容を変更したり、同様の設定を繰り返す場合にも、マンマシンインタフエースによりユーザが逐一設定していた。
【０００５】
【発明が解決しようとする課題】
従来の方法では、上述のように、類似の設定内容でも繰り返し設定する必要があった。また、設定を間違えた場合にはいったん設定内容を取り消した後、再度正しい設定内容を設定する必要があり、作業時間の増加を招いていた。
【０００６】
本発明は、上記のような問題点を解決するためになされたものであり、通信動作のパラメータの設定を効率よく行うことができ、また設定のための作業時間を短縮できる通信装置を得ることを目的とする。
【０００７】
【課題を解決するための手段】
上記目的を達成するために、本発明は、複数の通信装置でネットワークを構成し通信動作のパラメータの設定を行いこれらの通信装置間での通信を可能とする通信装置において、入力された設定情報を内部処理しやすい形式で保存する設定保存ファイルと、設定情報が入力される毎にその設定情報をテキスト形式で保存する設定操作保存ファイルと、この設定操作保存ファイルを読み込みその内容を実行する設定操作保存ファイル内容実行手段とを設けたことを特徴とする。
設定操作保存ファイルは、テキスト形式であるので容易に編集できる。従って、通信動作のパラメータの設定に際し、設定操作保存ファイルを編集して用いることにより、同種の動作に対しては同様の設定を繰り返し行ったり、間違った設定を行った場合にはいったんその設定内容を取り消す処理を行いその後再び正しい設定内容を設定したりする必要がなくなる。
【０００８】
そして、設定情報が入力される毎に設定情報を設定操作保存ファイルに保存するか否かを制御可能な保存制御手段を設けたことを特徴とする。
保存制御手段により、設定操作保存ファイル３に保存する設定情報を取捨選択できるので、再利用したい設定情報だけを設定操作保存ファイル３に保存することが可能となる
【０００９】
さらに、設定操作保存ファイル内容実行手段は、読み込んだ設定操作保存ファイルの内容をその通りの処理を実行するかまたはその逆の処理を実行するかを選択する逆処理選択手段を有するものであることを特徴とする。
逆処理選択手段により逆処理を選択して設定操作保存ファイルの内容を実行するようにすれば、以前行った処理を取り消すための入力作業を、実際には行わずに済む。
【００１０】
また、設定操作保存ファイル内容実行手段は、読み込んだ設定操作保存ファイルの内容をその通りの処理を実行するかまたはその逆の処理を実行するかを選択する逆処理選択手段と、実行すべき処理がそれより以前に実行した処理により無効となっている場合に当該処理を飛ばすように指示するスキップ指示手段とを有するものであることを特徴とする。
スキップ指示手段が、無効となっている処理を飛ばす指示をするので、以前行った処理を取り消すために設定操作保存ファイルを使う場合に、あらかじめ逆順に編集する必要がなくなる。
【００１１】
そして、設定保存ファイルの内容を設定操作保存ファイルに変換するファイル変換手段を設けたことを特徴とする。
ファイル変換手段を用いて、設定保存ファイルから現在の設定内容に対応した設定操作保存ファイルを得ることができ、必要に応じてこれを編集して使用することができる。
【００１２】
【発明の実施の形態】
実施の形態１．
図１は、本発明の実施の一形態を示す通信装置の端末装置の構成を示すブロック図、図２は図１の設定操作保存ファイルの内容を示す図である。図１において、１は制御装置であり、図示しない中央演算装置及び記憶装置を有している。２は設定保存ファイル、３は設定操作保存ファイルである。
【００１３】
５はキーボードなどの入力手段、６は液晶などの表示装置、７は入出力部であり、図示しない他の通信装置とのデータの授受を行うためのものである。なお、各通信装置は、回線カードを収容することにより複数の回線を収容している。１１は設定操作保存ファイル読込指示手段である。なお、設定操作保存ファイル読込指示手段１１と制御装置１とによりこの発明の設定操作保存ファイル内容実行手段を構成している。
【００１４】
入力手段５により、通信装置の設定を行うために、ユーザは、入力手段５により設定情報を逐次入力する。入力される設定情報は、入力される都度、設定操作保存ファイル３に記録される。設定操作保存ファイル３は、ユーザの操作内容をテキスト形式で逐次記録するファイルである。
【００１５】
図２は、設定操作保存ファイル３の例である。ここでは、新しくノード装置Ａを追加し、そのノード装置Ａに通信カードであるＣＯＭ１、ＣＯＭ２、ＣＯＭ３を追加し、さらにＣＯＭ１を追加する、という処理を行った場合の例を示している。
【００１６】
すなわち、図２の設定操作保存ファイル３の第１行目は、新しくノード装置Ａを設定追加したことを示している。第２行目はノード装置Ａの中のカード実装位置１に、新しく通信カードＣＯＭ１を追加したことを示している。第３行目は同じくノード装置Ａの中のカード実装位置２に、新しく通信カードＣＯＭ２を追加したことを示している。
【００１７】
第４行目は同じくノード装置Ａの中のカード実装位置１に、新しく通信カードＣＯＭ３を追加したことを示している。第５行目は同じくノード装置Ａの中のカード実装位置４に、新しく通信カードＣＯＭ１を追加したことを示している。
【００１８】
一連の入力作業が終了すると、設定操作保存ファイル３の内容は、制御装置１により内部処理用の設定保存ファイル２に変換されて設定保存ファイル２に保存されるとともに入出力部７を介して図示しない通信装置に送られ、様々な動作パラメータの設定が行われる。なお、この設定保存ファイル２のフォーマットは、制御装置１が処理しやすい形式、例えばバイナリ形式となっており、ユーザが容易に編集できる形式にはなっていない。
【００１９】
以上のように構成された端末装置を有する通信装置において、例えば、操作ミス、故障等の理由で設定保存ファイル２が失われた場合、設定操作保存ファイル読込指示手段１１により、図２の例に示す設定操作保存ファイル３を読み込みその内容を設定保存ファイルに設定するように、制御装置１に指示する。
【００２０】
制御装置１は、この指示を受けて設定操作保存ファイル３を読み込み、その内容を設定保存ファイルに設定し、設定操作保存ファイル３の内容を実行する。これにより、ユーザは再度同じ設定を行わなくて済む。
【００２１】
また、設定操作保存ファイル３は、テキスト形式のファイルであるので、ユーザは、例えば制御装置１を利用してワードプロセッサ、エディタ等を用いて、容易にその内容を変更できる。従って、以前の設定内容の一部を変更して再設定を行いたい場合には、設定操作保存ファイル３を編集して所望の内容とした後、設定操作保存ファイル読込指示手段１１から制御装置１に指示を出させることにより、設定作業の手間を省くことができる。
【００２２】
もちろん、設定操作保存ファイル読込指示手段１１の指示により制御装置１が読み込むファイルは、必ずしも設定操作保存ファイル３である必要はなく、設定操作保存ファイル３のフォーマットと同様のフォーマットを用いてユーザがワードプロセッサやエディタ等で編集して作成したテキスト形式のファイルであってもよい。
【００２３】
以上説明したように、この実施の形態による通信装置では、ユーザは設定操作保存ファイル３を利用することにより、同じ設定を繰り返す手間を省き、また設定操作保存ファイル３の一部を編集して類似の設定内容を簡単に設定することが可能となる。
【００２４】
実施の形態２．
図３はさらにこの発明の他の実施の形態である端末装置の構成を示すブロック図、図４は図３設定操作保存ファイルの内容を示す図である。図４において、２１は、保存制御手段である。その他の構成については、図１に示した実施の形態１と同様のものであるので、相当するものに同じ符号を付して説明を省略する。
【００２５】
ユーザは、保存制御手段２１により設定情報を設定操作保存ファイル３に保存するか否かを制御することができる。ユーザが入力手段５を介して保存制御手段２１をオンにしている場合、制御装置１はユーザの設定情報を設定操作保存ファイル３に保存する。ユーザが保存制御手段２１をオフにしている場合、制御装置１はユーザの設定情報を設定操作保存ファイル３に保存しない。
【００２６】
図４は、保存制御手段２１を使用した場合の設定操作保存ファイル３の例である。図４では、ユーザは保存制御手段２１をオンにした状態で、入力手段５により、新しくノード装置Ａを追加し、そのノード装置Ａに通信カードであるＣＯＭ１を追加する。
【００２７】
次にユーザは、保存制御手段２１をオフにした状態で、入力手段５により、ＣＯＭ２、ＣＯＭ３を追加する。さらにユーザは、再び保存制御手段２１をオンにした状態で、入力手段１１により、ＣＯＭ１を追加する、という処理を行った場合の例を示している。
【００２８】
すなわち、図４の第１行目から第２行目までは、最初に保存制御手段２１をオンにした状態での設定情報が保存されたものである。その後保存制御手段２１をオフにした状態での設定情報は保存されていない。そして、第３行目はその後再び保存制御手段２１をオンにした状態での設定情報が保存されたものである。
【００２９】
以上説明したように、この実施の形態においては、ユーザは設定操作保存ファイル３に保存する設定情報を取捨選択でき、再利用したい設定情報だけを設定操作保存ファイル３に保存することが可能となる。
【００３０】
実施の形態３．
図５はさらにこの発明の他の実施の形態である端末装置の構成を示すブロック図、図６、図７は設定操作保存ファイルの内容を示す図である。図５において、１２は設定操作保存ファイル読込指示手段である。また、設定操作保存ファイル読込指示手段１２は、逆処理選択手段３１を有している。
【００３１】
逆処理選択手段３１は、読み込んだ設定操作保存ファイル３の内容をその通りの処理を実行して設定操作を行うか、その逆の処理を実行して設定操作を行うかを選択するものである。逆処理とは、例えば追加処理に対しては削除処理、逆に削除処理に対しては追加処理のことである。なお、設定操作保存ファイル読込指示手段１２と制御装置１とによりこの発明の設定操作保存ファイル内容実行手段を構成している。
【００３２】
次に具体的な例を示す。現在の設定操作保存ファイル３の内容が図６に示すようになっており、ユーザがこの設定情報をすべて削除したい場合を考える。従来の端末装置では、ユーザは設定情報を一つ一つ削除する作業を行う必要があった。
【００３３】
ユーザは、図７に示すように逆順にかつ逆作業を行うように編集した設定操作保存ファイル３を作成する。この場合、逆処理選択手段３１により逆処理を選択する。そして、設定操作保存ファイル読込指示手段１２は、制御装置１に、この逆順に編集した設定操作保存ファイル３を読み込み、逆処理を実行するように、指示する。
【００３４】
制御装置１は、逆処理を指示されているので、ＡＤＤで示される追加処理に対しては、削除処理を実行する。そこで、図７の第１行目で示されるノード装置Ａのスロット位置２へのＣＯＭ２カードの追加処理に対しては、ノード装置Ａのスロット位置２からのＣＯＭ２カードの削除処理を行う。
【００３５】
そして、第２行目で示されるノード装置Ａのスロット位置１へのＣＯＭ１カードの追加処理に対しては、ノード装置Ａのスロット位置１からのＣＯＭ１カードの削除処理を行う。第３行目で示されるノード装置Ａの追加処理に対しては、ノード装置Ａの削除処理を行う。
【００３６】
なお、図７に示すように設定操作保存ファイル３を逆順に編集するのは、図６に示す内容の順に実行した場合、最初にノード装置Ａを削除するため、続くＣＯＭ１の削除、およびＣＯＭ２の削除が実行できずにエラーとなるためである。
【００３７】
以前に行った削除処理を取り消す場合は、同様に、削除の操作が保存されている設定操作保存ファイル３を逆順に編集して、設定操作保存ファイル読込指示手段１２により制御装置１に対して設定操作保存ファイル３を読み込み逆処理を実行するように指示すれば、追加操作が可能である。
【００３８】
以上説明したように、この実施の形態によれば、ユーザは以前行った処理を取り消すための入力作業を実際には行わずに済む。
【００３９】
実施の形態４．
図８はさらにこの発明の他の実施の形態である端末装置の構成を示すブロック図、図９は設定操作保存ファイルの内容を示す図である。図８において、１３は設定操作保存ファイル読込指示手段である。設定操作保存ファイル読込指示手段１３は、逆処理選択手段３１の他に、スキップ指示手段３２を有している。
【００４０】
スキップ指示手段３２を有しているため、ユーザは逆処理を行うためにあらかじめ設定操作を逆順に編集しなくとも、エラーとはならない。なお、設定操作保存ファイル読込指示手段１３と制御装置１とによりこの発明の設定操作保存ファイル内容実行手段を構成している。
【００４１】
次に具体的な例を示す。現在の設定操作保存ファイル３の内容が図９に示すようになっており、ユーザがこの設定内容をすべて削除したい場合を考える。この場合も、従来の端末装置では、ユーザはあらかじめ操作内容を逆順に編集する必要があった。
【００４２】
この実施の形態では、ユーザは図９の内容のまま、逆処理選択手段３１により逆処理を選択し、設定操作保存ファイル読込指示手段１３により、制御装置１に対して設定操作保存ファイル３を読み込み逆処理を実行するように指示する。
【００４３】
逆処理を指示された制御装置１は、第１行目で示されるノード装置Ａの追加操作に対しては、ノード装置Ａの削除操作を行う。次に、スキップ指示手段３２は、第２行目で示されるノード装置Ａのスロット位置１へのＣＯＭ１カードの追加操作に対しては、すでにノード装置Ａを削除しているので実行する必要がないと判断し、エラーとはせずにスキップする（飛ばす）ように制御装置１に指示する。
【００４４】
さらに、第３行目で示されるノード装置Ａのスロット位置２へのＣＯＭ２カードの追加操作に対しても、すでにノード装置Ａを削除しているので実行する必要がないと判断し、エラーとはせずにスキップするように、指示する。
【００４５】
以上説明したように、この実施の形態による端末装置では、ユーザは以前行った処理を取り消すために設定操作保存ファイル３を使う場合に、あらかじめ逆順に編集する必要がなくなる。
【００４６】
実施の形態５．
図１０はさらにこの発明の他の実施の形態である端末装置の構成を示すブロック図である。図１０において、設定保存ファイル変換手段４１が設けられている。設定保存ファイル変換手段４１は、現在のバイナリ形式の設定保存ファイル２の内容をテキスト形式の設定操作保存ファイル３に変換する処理を行う。
【００４７】
例えば、保存制御手段２１により部分的に操作を保存した設定操作保存ファイル３しかなかったとしても、ユーザは設定保存ファイル変換手段４１を使用することにより、現在の設定保存ファイル２を変換して完全な設定操作保存ファイル３を得ることができる。
【００４８】
以上説明したように、この実施の形態による端末装置では、ユーザはいつでも現在の設定内容に対応した設定操作保存ファイル３を得ることができ、必要に応じてこれを編集して使用することができる。
【００４９】
【発明の効果】
本発明は、以上説明したように構成されているので、以下に記載するような効果を奏する。
【００５０】
複数の通信装置でネットワークを構成し通信動作のパラメータの設定を行いこれらの通信装置間での通信を可能とする通信装置において、入力された設定情報を内部処理をしやすい形式で保存する設定保存ファイルと、設定情報が入力される毎にその設定情報をテキスト形式で保存する設定操作保存ファイルと、この設定操作保存ファイルを読み込みその内容を実行する設定操作保存ファイル内容実行手段とを設けたことを特徴とするので、設定操作保存ファイルは、テキスト形式であるので容易に編集でき、通信動作のパラメータの設定に際し、設定操作保存ファイルを編集して用いることにより、同種の動作に対しては同様の設定を繰り返し行ったり、間違った設定を行った場合にはいったんその設定内容を取り消す処理を行いその後再び正しい設定内容を設定したりする必要がなくなる。従って、パラメータの設定を効率よく行うことができ、また設定のための作業時間を短縮できる。
【００５１】
そして、設定情報が入力される毎に設定情報を設定操作保存ファイルに保存するか否かを制御可能な保存制御手段を設けたことを特徴とするので、保存制御手段により、設定操作保存ファイル３に保存する設定情報を取捨選択できるので、再利用したい設定情報だけを設定操作保存ファイルに保存することが可能となる。従って、パラメータの設定を効率よく行うことができ、また設定のための作業時間を短縮できる。
【００５２】
さらに、設定操作保存ファイル内容実行手段は、読み込んだ設定操作保存ファイルの内容をその通りの処理を実行するかまたはその逆の処理を実行するかを選択する逆処理選択手段を有するものであることを特徴とするので、逆処理選択手段により逆処理を選択して設定操作保存ファイルの内容を実行するようにすれば、以前行った処理を取り消すための入力作業を、実際には行わずに済む。従って、パラメータの設定を効率よく行うことができ、また設定のための作業時間を短縮できる。
【００５３】
また、設定操作保存ファイル内容実行手段は、読み込んだ設定操作保存ファイルの内容をその通りの処理を実行するかまたはその逆の処理を実行するかを選択する逆処理選択手段と、実行すべき処理がそれより以前に実行した処理により無効となっている場合に当該処理を飛ばすように指示するスキップ指示手段とを有するものであることを特徴とするので、以前行った処理を取り消すために設定操作保存ファイルを使う場合に、スキップ指示手段により無効となっている処理を飛ばす指示をすることにより、あらかじめ逆順に編集する必要がなくなる。従って、パラメータの設定を効率よく行うことができ、また設定のための作業時間を短縮できる。
【００５４】
そして、設定保存ファイルの内容を設定操作保存ファイルに変換するファイル変換手段を設けたことを特徴とするので、ファイル変換手段を用いて、設定保存ファイルから現在の設定内容に対応した設定操作保存ファイルを得ることができ、必要に応じてこれを編集して使用することができる。従って、パラメータの設定を効率よく行うことができ、また設定のための作業時間を短縮できる。
【図面の簡単な説明】
【図１】この発明の実施の一形態である端末装置の構成を示すブロック図である。
【図２】図１の実施の形態における設定操作保存ファイルの内容を示す図である。
【図３】さらに、この発明の他の実施の形態である端末装置の構成を示すブロック図である。
【図４】図３の実施の形態における設定操作保存ファイルの内容を示す図である。
【図５】さらに、この発明の他の実施の形態である端末装置の構成を示すブロック図である。
【図６】図５の実施の形態における現在の設定操作保存ファイルの内容を示す図である。
【図７】図５の実施の形態における編集された設定操作保存ファイルの内容を示す図である。
【図８】さらに、この発明の他の実施の形態である端末装置の構成を示すブロック図である。
【図９】図８の実施の形態における設定操作保存ファイルの内容を示す図である。
【図１０】さらに、この発明の他の実施の形態である端末装置の構成を示すブロック図である。
【符号の説明】
１  制御装置、２  設定保存ファイル、３  設定操作保存ファイル、
５  入力手段、１１，１２，１３  設定操作保存ファイル読込指示手段、
２１  保存制御手段、３１  逆処理選択手段、３２  スキップ指示手段、
４１  設定保存ファイル変換手段。
【図１】
0003626074.tif 000002
【図２】
0003626074.tif 000003
【図３】
0003626074.tif 000004
【図４】
0003626074.tif 000005
【図５】
0003626074.tif 000006
【図６】
0003626074.tif 000007
【図７】
0003626074.tif 000008
【図８】
0003626074.tif 000009
【図９】
0003626074.tif 000010
【図１０】
0003626074.tif 000011